(57)【要約】      （修正有）【課題】手の届きにくい場所に貼付剤、とくに貼付薬を能率的に、経済的に貼付する貼付材を提供することを目的とし、また、貼付剤、とくに貼付薬を貼付する直前に保護シートを剥離して患部以外の場所に接着しない能率的に、経済的な貼付材を提供する。【解決手段】貼付薬１の保護シート９の端部を固定する固定部５と、貼付藥の粘着剤塗布シート８を押圧する押圧部とからなり、粘着剤塗布シートを切断可能に構成されている貼付材１に関する。【選択図】図１
2007229192.tif 000002
【特許請求の範囲】
【請求項１】
貼付剤の保護シートの端部を固定する固定部と、貼付剤の粘着剤塗布シートを押圧する押圧部とからなり、粘着剤塗布シートを切断可能に構成されていることを特徴とする貼付材。
【請求項２】
粘着剤塗布シートが切込みを有することを特徴とする請求項１に記載の貼付材。
【請求項３】
貼付材が貼付剤の粘着剤塗布シートの切断部を有することを特徴とする請求項１に記載の貼付材。
【請求項４】
貼付剤の保護シートの端部を固定する固定部と、貼付剤の粘着剤塗布シートを押圧する押圧部とからなる貼付材であって、貼付剤の保護シートの端部を固定するロールと貼付剤を保持するロールを有することを特徴とする請求項１〜３のいずれかに記載の貼付材。
【請求項５】
貼付剤が貼付薬であることを特徴とする請求項１〜４のいずれかに記載の貼付材。
【発明の詳細な説明】
【技術分野】
【０００１】
この出願発明は、貼付材、とくに、貼付薬を貼付する貼付材に関する。
【背景技術】
【０００２】
貼付剤は、粘着剤塗布シートと保護シートからなっており、貼付剤を貼付するときは、保護シートを粘着剤塗布シートから剥離して貼付している。
しかし、粘着剤塗布シートを平らに貼付することは難しく、また、手の届きにくい場所に貼付剤を平らに貼付することは困難であり、とくに、貼付薬の場合には、背中の患部に貼付することが困難であるため、通常は、他人に貼付してもらわなければならないのが現状である。
また、保護シートを剥離した保護シートのない粘着剤塗布シートはべたべたしているので、保護シートを外して貼付するまでの間に、貼付する場所以外の場所に貼付してしまうことがあるので、貼付する場所以外の場所には貼付しないように気を付けなければならないという問題がある。
これらの問題を解決するものとして、この出願発明者は特開２００１−３０９９８５号公報（特許第３５６６２２３号）を発明しているが、さらに、能率的に、しかも、経済的に貼付することが望まれている。
【特許文献１】特開２００１−３０９９８５号公報
【発明の開示】
【発明が解決しようとする課題】
【０００３】
この出願発明者は、このような要望に応えるためにいろいろ検討した結果この出願発明を完成したものであり、この出願発明は、貼付剤の保護シートの固定部と粘着剤塗布シートを押圧する押圧部を有する貼付材により、貼付剤、とくに、貼付薬を患部に平坦に貼付でき、手の届きにくい場所、とくに、背中のような手の届きにくい患部に貼付薬を貼付する貼付材を提供することを目的とするものである。また、貼付薬を貼付する直前に保護シートを剥離することにより患部など貼付する場所以外の場所に保護シートを剥離した粘着剤塗布シートが接着しない貼付材であって、さらに、能率的でしかも経済的な貼付材を提供することを目的とする。
すなわち、この出願発明は、粘着剤塗布シートを切断可能に構成されており、貼付剤を切断しながら貼付することにより、さらに、能率的にしかも経済的に貼付できる貼付材を提供することを目的とする。
【課題を解決するための手段】
【０００４】
この出願発明は、貼付剤の保護シートの端部を固定する固定部と、貼付剤の粘着剤塗布シートを押圧する押圧部とからなり、粘着剤塗布シートを切断可能に構成されている貼付材に関する。
【発明の効果】
【０００５】
この出願発明の貼付材は、背中のような手の届きにくい場所に貼付薬を貼付することができ、しかも、貼付薬を平坦に正しい位置に貼付することができる。
また、貼付薬を貼付する直前に保護シートを貼付薬から剥離するので、保護シートを剥離した後に、貼付薬が患部以外の場所に接着しないようにすることができる。
貼付材が箱の場合には、貼付薬および剥離した保護シートを箱の中に収納することができる。
また、貼付材が板の場合には、貼付材を貼付薬の箱の中に入れることにより貼付薬と共に収納および保管をすることができる。
ロールのばあいには、より円滑に貼付することができる。
さらに、貼付材が粘着剤塗布シートを切断可能に構成されているので、能率的にしかも経済的に貼付できる貼付材を提供することができる。
このように簡単に、しかも、能率的に、経済的に貼付剤を貼付できるので、貼付薬、窓ガラスのフィルム、壁紙、両面テープ、事務用品、ネイルアート、ボディペインティング、タトゥなど幅広く使用することができる。
したがって、治療、作業が楽になり、ファッションを簡単に楽しむことができる。
【発明を実施するための最良の形態】
【０００６】
この出願発明の貼付剤は、粘着剤塗布シートの切込みは、貼付するときに切断されていればよいものであり、切込みは、予め切断されていてもよいし、引っ張ることにより切断されるものであってもよく、引っ張ることにより切断されるものとしては、たとえば、ミシン目状であってもよいし、点状などであってもよい。
また、貼付材の粘着剤塗布シートを切断する切断部は、必要なときに粘着剤塗布シートを切断できるように切断部が構成されていればよく、収納、摺動、脱着できるものなどがよいが、収納あるいは摺動できるものが好ましく、貼付剤が貼付される前に粘着剤塗布シートを切断あるいは引っ張ることにより切断できるように切込みを入れるものであればよい。
切断部は、粘着剤塗布シートを選択的に切断できればよいが、保護シートと粘着剤塗布シートとが分離し、必要な長さになった後に粘着剤塗布シートを切断あるい切込みを設けることができ収納あるいは摺動可能であることが好ましい。
このようにすることにより、貼付時に粘着剤塗布シートを必要な長さで切断あるいは切込みを入れることにより切断あるいは切断できるようにすることができる。
また、貼付剤は引き出すことができるように、ロール状あるいは折り畳まれていることが好ましい。
【０００７】
この出願発明の貼付材は、ロールからなることが好ましい。
ロールは、図１、２に示すように２本のロールからなり、その１方のロールに固定部が設けられており、他のロールが粘着剤塗布シートを押圧する押圧部であることがとくに好ましい。貼付剤はロールに保持されていても、折り畳まれていてもよいが、ロールに保持されていることが好ましい。
保護シートを固定部に固定し、切込みの入った粘着剤塗布シートの端部を貼付する場所に貼付することにより、貼付材の移動と共に、固定部の設けられたロールにより保護シートを巻きとり、他の１本のロールにより切込みのある粘着剤塗布シートを患部に押しつけて貼付し、平らにならすことができ、同時に切込みにより粘着剤塗布シートを切断して貼付することができる。
また、貼付材に粘着剤塗布シートを切断する切断部が設けられている場合は、切込みのない粘着剤塗布シートを切断部により切断あるいは切込みを設け、引っ張ることにより切断して貼付することができる。
【０００８】
この２本のロールは、図３に示すように２本のロールがそれぞれ歯車によって反対方向に回転をするように構成されていることがとくに好ましい。
歯車は、ロールの両端に設けられていればよいが、全体についていてもよい。  この歯車により二つのロールは反対方向に正確に回転することができるので、固定部が設けられているロールに、ロールの回転によって剥離した保護シートを巻きとることができる。
また、貼付剤を保持するロールと保護シートを固定するロールとがそれぞれ端部で歯車により逆方向に回転するようになっていてもよい。
固定部は、ロールに固着されていてもよいし、図１、２に示すように着脱自在であってもよいが、ロールに沿った円弧状であることが好ましく、弾性の材料を利用したものであることがとくに好ましい。
また、ロールの軸方向にスリットを入れ、そのスリットに保護シートの端部を挿入するようにしてもよい。
固定部は、保護シートをいずれの方向からでも固定できることが好ましい。
貼付剤の固定の方向を変えることにより、貼付材をいずれの方向に移動しても、例えば、押してもあるいは引いても貼付剤を貼付することができる。
固定部が設けられているロールは、着脱自在になっていてもよい。
着脱自在であることにより、予め固定部に保護シートを固定した予備のロールを支持材に取り付け、直ちにつぎの貼付材を貼付することができる。
また、２つのロールは、貼付剤を取り付けるときにロールの間隔を、例えば、弾性を利用することなどにより押し広げられることが、貼付剤を取り付けやすいので好ましい。
保護シートを固定部に固定し、切込みの入った粘着剤塗布シートの端部を貼付する場所に貼付することにより、貼付材の移動と共に、固定部の設けられたロールにより保護シートを巻きとり、他の１本のロールにより粘着剤塗布シートを患部に押しつけて貼付し、平らにならすことができ、同時に切込みにより粘着剤塗布シートを切断して貼付することができる。
また、貼付材に粘着剤塗布シートを切断する切断部が設けられている場合は、切込みのない粘着剤塗布シートを切断部により切断あるいは切込みを設け引っ張ることにより切断して貼付することができる。
【０００９】
この出願発明の貼付材は、図４に示すように箱であることが好ましい。
この貼付材は側面に孔を有する箱からなり、固定部が箱の上面に設けられており、押圧部が箱の下面であることが好ましい。
押圧部は、押さえやすいように、また、動かしやすいように曲面であってもよい。
固定部は、箱に固着されていてもよいし、箱に着脱自在であってもよい。着脱自在であるときは、図４に示すように断面コ字形状であることが好ましい。
孔のある側面は、貼付剤が滑らかに箱から出やすいように、滑りやすくすることが好ましく、弧状に形成されていることがとくに好ましい。
保護シート及び貼付剤はロールを利用してそれぞれ固定、保持することが好ましい。
また、箱は、貼付材と貼付剤の保管が容易となるので好ましい。箱は貼付剤を収納している箱を利用することもできる。
保護シートを固定部に固定し、切込みの入った粘着剤塗布シートの端部を貼付する場所に貼付することにより、貼付材の移動と共に、粘着剤塗布シートを患部に押しつけて貼付し、平らにならすことができ、同時に切込みにより粘着剤塗布シートを切断して貼付することができる。
また、貼付材に粘着剤塗布シートを切断する切断部が設けられている場合は、切込みのない粘着剤塗布シートを切断部により切断あるいは切込みを設け引っ張ることにより切断して貼付することができる。
【００１０】
この出願発明の貼付材は、図５に示すように板であることが好ましい。
この貼付材は孔を有する板からなり、固定部が板の上面、孔に設けられており、押圧部が板の下面に設けられていればよいが、固定部が板の上面に設けられており、押圧部が板の下面である貼付材であることが好ましい。
押圧部は、押さえやすいように、また、動かしやすいように曲面であってもよい。
板の貼付材は、板の端部に孔を設け、貼付薬を板の上においておき、保護シートを固定部に固定することが好ましい。
固定部は、板に固着されていてもよいし、板に着脱自在であってもよい。着脱自在であるときは、図６に示すように断面コ字形状であることが好ましい。
板状の貼付材は、貼付剤を収納している箱の中に入れることにより、貼付材と貼付剤の保管が容易となるので好ましい。
保護シート及び貼付剤はロールを利用してそれぞれ固定、保持することが好ましい。
また、図１２に示すように、ロールに固定部が設けられており、貼付剤はロールに保持されており、押圧部は貼付材の下の曲面の部分であってもよい。この場合には、貼付材そのものがケース状になっているので保管が容易である。
また、貼付材に粘着剤塗布シートを切断する切断部が設けられている場合は、切込みのない粘着剤塗布シートを切断部により切断あるいは切込みを設け引っ張ることにより切断して貼付することができる。
【００１１】
保護シートの固定部は、とくに限定されないが、シートの端部を挟むもの、隙間にシートの端部を差し込むもの、粘着テープで固定するものが好ましく、シートの端部を挟むものがとくに好ましい。
シートの端部を挟むものとしては、弾性を利用したものが構造が簡単であるのでとくに好ましい。また、保護シートの固定部は、ロールに設けてもよい。
保護シートを固定部に固定し、切込みの入った粘着剤塗布シートの端部を貼付する場所に貼付することにより、貼付材の移動と共に、ロールの場合には固定部が設けられたロールにより保護シートを巻きとり、他の１本のロールにより粘着剤塗布シートを患部に押しつけて貼付し、平らにならすことができ、同時に切込みにより粘着剤塗布シートを切断して貼付することができる。
押圧する部分は、平らでもよいし、貼付材を動かし易く押圧し易いように曲面であってもよい。
また、貼付材に粘着剤塗布シートを切断する切断部が設けられている場合は、切込みのない粘着剤塗布シートを切断部により切断あるいは切込みを入れ、引っ張ることにより切断して貼付することができる。
【００１２】
貼付剤は、保護シートのあるものであればとくに限定されず、貼付薬、窓ガラスのフィルム、壁紙、両面テープ、事務用品などが好ましく、貼付薬がとくに好ましい。
この出願発明の貼付材により、手の届かない場所、とくに貼付薬は、背中に人の手を借りずに簡単に、平坦に、しかも、粘着剤塗布シートを切断することができるので能率的に、経済的に貼付することができる。
【００１３】
この出願発明の貼付材を使用して貼付するときは、貼付剤の保護シートを剥離して固定部に保護シートの端部を固定し、一方、粘着剤塗布シートを貼付する場所に貼付し、貼付する場所に貼付材を圧しつけながら移動させることにより貼付剤の粘着剤塗布シートを切断して貼付する場所に貼付する。
貼付材の移動は、貼付する場所に圧しつけながら押してもよいし、貼付する場所に圧しつけながら貼付材を引っ張ってもよいが、貼付薬を背中に貼付するときは押して貼付することが好ましい。
【００１４】
貼付材の形状は、四角形であることがとくに好ましい。
四角形であることにより、とくに背中に貼付薬を貼付するときに、貼付する角度を正しくすることができる。
【００１５】
貼付剤を貼付するには、図７に示すように、貼付薬の保護シートを剥離してその端部を貼付材の固定部に固定し、ついで粘着剤塗布シートの端部を患部に貼付して固定し、ついで貼付材を移動することにより保護シートから粘着剤塗布シートを剥離し、切断して患部に貼付薬を貼付する。
また、図９、図１０、図１１のように、貼付材に切断部１６を設けることにより、切込みのない粘着剤塗布シートを切断して貼付する。
【００１６】
貼付材を使用するときは圧しつけながら押したり、あるいは圧しつけながら引いたりして貼付するが、移動する方向を変える場合は、ロールのときは、貼付材のロール間に貼付剤を挿入する方向を反対にして固定すればよく、また、板のときは、貼付剤の固定部を孔の反対側にして固定すればよい。
この出願発明の貼付材は、ケース状になっているものであってもよい。
以下、実施例によって、この出願発明を具体的に説明するが、この出願発明はこれらに限定されるものではない。
図１はこの出願発明のロールを利用した貼付材の斜視図であり、図２はこの出願発明のロールを利用した貼付材の側面図であり、図３は図１、２の貼付材のロールの部分拡大図であり、図４はこの出願発明の箱を利用した貼付材の斜視図であり、図５はこの出願発明の板を利用した貼付材の平面図であり、図６は図５の側面図であり、図７はこの出願発明の図１、２、３の貼付材を利用して貼付薬を貼付するときの状態を示す図であり、図８はこの出願発明の切込みを有する粘着剤塗布シートであり、図９はこの出願発明の切断部を有するロールを利用した貼付材の部分図であり、図１０はこの出願発明の切断部を有する箱を利用した貼付材の部分図であり、図１１はこの出願発明の切断部を有する板を利用した貼付材の部分図であり、図１２はこの出願発明の他の貼付材の断面図である。
また、１は貼付材を、２は貼付薬を、３、４はロールを、５は固定部を、６は把持部を、７はロール支持部を、８は粘着剤塗布シートを、９は保護シートを、１０は箱を、１１は孔を、１２は板を、１３、１４は手を、１５は背中を、１６は切込みを、１７は切断部を、１８はロールをそれぞれ示す。
【実施例１】
【００１７】
図１、２、３に示す貼付材について説明する。
図１はこの出願発明のロールを利用した貼付材の斜視図であり、図２はこの出願発明のロールを利用した貼付材の側面図であり、図３は図１、２の貼付材のロールの部分拡大図である。
図１、２に示すように、この貼付材１は、円弧状の着脱自在の固定部５が弾性によって取り付けられているロール３と貼付薬２を患部に押しつけるロール４がロール支持部７によって支持されており、ロール支持部７には把持部６が四角形状に形成されている。
また、図３に示すように、ロール３、４には歯車が設けられている。
貼付薬２を貼付するときは、ロール状（図は略）の貼付薬２を支持部７側からロール３、４間に挿入し、貼付薬２の保護シート９を弾性のある固定部５により固定し、切込みを有する粘着剤塗布シート８の端部を患部に貼付する。
ついで、貼付材を患部に圧しつけながら押して移動すると、保護シート９が剥離した粘着剤塗布シート８の端部が患部に貼付され固定されているので、貼付材の移動と共に貼付薬２は引き出され、粘着剤塗布シートは切込みで切断されて貼付する場所に圧しつけられ貼付される。
また、ロールの歯車により、二つのロール３、４は互いに反対側に回転し、固定部５に固定された保護シート９は固定部５が設けられているロール３に順次巻き取られる。また、保護シート９が剥離された粘着剤塗布シート８は、貼付材の移動と共に、粘着剤塗布シートは切込みで切断されて図７に示すように背中１５にロール４により圧しつけられて平坦に貼付される。
図１、２、７の貼付材１の場合には、把持部６によって貼付材１を背中１５に圧しつけながら押すことにより粘着剤塗布シート８を背中１５に貼付する。
また、貼付材１を引っ張りながら粘着剤塗布シート８を貼付するときは、貼付薬２をロール３、４間に反対側から挿入し、保護シート９を固定部５に固定し、切込み１６を有する粘着剤塗布シート８の端部を患部に貼付し、把持部６によって貼付材１を患部に圧しつけながら引っ張ることにより貼付薬２の粘着剤塗布シートを切込み１６で切断して貼付する。
図９に示すように、切断部１７を有する貼付材の場合には、切込みのない粘着剤塗布シート８を収納可能にした切断部１７で切断して貼付することができる。
【実施例２】
【００１８】
図４に示すように、この貼付材１は、箱１０で構成されており、箱の側面の孔１１の上面に、保護シートを箱との間に挟み込むように形成された着脱自在の断面コ字状の固定部５が設けられている。
箱１０の中から孔１１を通して折り畳んだ（図は略）貼付薬２の端部を引き出し、保護シート９の端部を上面に設けられた固定部５に固定し、一方、剥離した切込み１６を有する粘着剤塗布シート８の端部を患部に貼付し、箱の下面により押しつけて貼付薬２を粘着剤塗布シートの切込み１６で切断して患部に平坦に貼付する。
この貼付材１の場合には、貼付材１を患部に圧しつけながら押すと、切込み１６を有する粘着剤塗布シート８の端部が患部に貼付されて固定されているので、貼付材の移動と共に粘着剤塗布シート８が保護シート９と剥離し切込み１６で切断して患部に貼付する。
この箱は、四角形状であるので、正確に患部に貼付できる。
図１０に示すように、摺動可能にした切断部１７を有する貼付材の場合には、切込みのない粘着剤塗布シート８を切断して貼付することができる。
【実施例３】
【００１９】
図５、６に示すように、この貼付材１は、板１２で構成されており、板１２の上面に、保護シートを板との間に挟み込むように形成された着脱自在の断面コ字状の固定部５が設けられている。
板１２の上部のロール状（図は略）の貼付薬の端部を剥離し、保護シート９の端部を上面に設けられた固定部５に固定し、剥離した切込み１６を有する粘着剤塗布シート８を孔１１を通して下面に引き出す。ついで板の下面を患部に圧しつけて押して、切込み１６で切断して患部に平坦に貼付する。
この貼付材１の場合には、貼付材１を手１３、１４で患部に圧しつけながら押すと、粘着剤塗布シート８の端部が患部に貼付されて固定されているので、貼付材の移動と共に切込み１６を有する粘着剤塗布シート８が保護シート９と剥離し切込み１６で切断して患部に貼付する。
この板は、四角形状であるので、正確に貼付できる。
また、引きながら貼付するときは、貼付薬２の面を反対側から取り付け、保護シート９を孔の反対側の固定部５に固定し、切込みを有する粘着剤塗布シート８の端部を患部に貼付して固定し、板１２の貼付材１を患部に圧しつけながら手１３、１４で引っ張ることにより粘着剤塗布シートを切込み１６で切断して貼付薬２を貼付する。
図１１に示すように、摺動可能にした切断部１７を有する貼付材の場合には、切込みのない粘着剤塗布シート８を切断して貼付することができる。
【産業上の利用可能性】
【００２０】
この出願発明は、手の届きにくい場所に貼付剤、とくに貼付薬を能率的に、経済的に貼付することができ、特に、患部など貼付すべき場所以外の場所に接着しない能率的に、経済的な貼付材を提供することを目的とする。
【図面の簡単な説明】
【００２１】
【図１】この出願発明のロールを利用した貼付材の斜視図
【図２】この出願発明のロールを利用した貼付材の側面図
【図３】図１、２の貼付材のロールの部分拡大図
【図４】この出願発明の箱を利用した貼付材の斜視図
【図５】この出願発明の板を利用した貼付材の平面図
【図６】図５の側面図
【図７】この出願発明の貼付材を利用して貼付薬を貼付するときの状態を示す図
【図８】この出願発明の切込みを有する粘着剤塗布シート
【図９】この出願発明の切断部を有するロールを利用した貼付材の部分図
【図１０】この出願発明の切断部を有する箱を利用した貼付材の部分図
【図１１】この出願発明の切断部を有する板を利用した貼付材の部分図
【図１２】この出願発明の他の貼付材の断面図
【符号の説明】
【００２２】
１  貼付材
２  貼付薬
３  ロール
４  ロール
５  固定部
６  把持部
７  ロール支持部
８  粘着剤塗布シート
９  保護シート
１０  箱
１１  孔
１２  板
１３  手
１４  手
１５  背中
１６  切込み
１７  切断部
１８  ロール
【図１】
2007229192.tif 000003
【図２】
2007229192.tif 000004
【図３】
2007229192.tif 000005
【図４】
2007229192.tif 000006
【図５】
2007229192.tif 000007
【図６】
2007229192.tif 000008
【図７】
2007229192.tif 000009
【図８】
2007229192.tif 000010
【図９】
2007229192.tif 000011
【図１０】
2007229192.tif 000012
【図１１】
2007229192.tif 000013
【図１２】
2007229192.tif 000014